【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
それぞれが可動接点と固定接点からなると共に、該可動接点と固定接点の周囲が絶縁筒で覆われ、閉、開、断路の３位置で動作する２対の開閉器を有し、該２対の開閉器部が真空容器内に配置されてなる真空開閉器と、
可動接点と固定接点とからなり、該可動接点と固定接点の周囲が絶縁筒で覆われる開閉器を有し、該開閉器部が前記真空容器とは別の真空容器内に配置されてなる真空接地開閉器とを備え、
前記真空開閉器と前記真空接地開閉器が一体にモールドされていることを特徴とする真空絶縁スイッチギヤ。
【請求項２】
請求項１に記載の真空絶縁スイッチギヤにおいて、
前記真空開閉器の真空容器と前記真空接地開閉器の真空容器は、略平行に併設して配置されていることを特徴とする真空絶縁スイッチギヤ。
【請求項３】
請求項１又は２に記載の真空絶縁スイッチギヤにおいて、
前記真空開閉器と前記真空接地開閉器は、系統の電圧を検出する電圧検出器とも一体のモールドされていることを特徴とする真空絶縁スイッチギヤ。
【請求項４】
請求項１に記載の真空絶縁スイッチギヤにおいて、
前記真空開閉器の開閉器部は相分離構造であり、その相間には遮蔽層が配置されていることを特徴とする真空絶縁スイッチギヤ。
【請求項５】
請求項１に記載の真空絶縁スイッチギヤにおいて、
前記真空容器の開閉器部の一方の前記固定接点は第１のフィーダを介して母線に接続されていると共に、他方の固定接点は第２のフィーダを介してケーブルヘッドに接続され、かつ、前記１のフィーダ及び第２のフィーダは、前記真空開閉器及び前記真空接地開閉器と共に一体にモールドされていることを特徴とする真空絶縁スイッチギヤ。
【請求項６】
請求項１又は５に記載の真空絶縁スイッチギヤにおいて、
前記真空開閉器の開閉器部の一方の前記可動接点と他方の前記可動接点の両者は、可動導体で連結され、かつ、該可動導体には真空絶縁操作ロッドが連結されていると共に、該真空絶縁操作ロッドは、ベローズを介して前記真空容器外に導出されて気中絶縁操作ロッドに連結され、該気中絶縁操作ロッドは、操作ロッドを介して操作装置に連結されていることを特徴とする真空絶縁スイッチギヤ。
【請求項７】
請求項１に記載の真空絶縁スイッチギヤにおいて、
前記真空接地開閉器の開閉器部の前記固定接点はフィーダに接続され、一方、前記可動接点には真空絶縁操作ロッドが連結されていると共に、該真空絶縁操作ロッドは、ベローズを介して前記真空容器外に導出されて真空接地開閉器用の絶縁操作ロッドに連結され、該真空接地開閉器用の絶縁操作ロッドは、真空接地開閉器用の操作装置に連結されていることを特徴とする真空絶縁スイッチギヤ。
【請求項８】
請求項１に記載の真空絶縁スイッチギヤにおいて、
前記真空開閉器の開閉器部の断路時における極間寸法を、開時における極間寸法より大きくしたことを特徴とする真空絶縁スイッチギヤ。
【請求項９】
請求項１に記載の真空絶縁スイッチギヤにおいて、
前記真空開閉器の開閉器部は相分離構造であり、該開閉器の相間絶縁、該開閉器の断路時の極間絶縁、該開閉器の開時の極間絶縁、及び前記真空接地開閉器の接地極間絶縁との絶縁強調を、相間＞断路時極間絶縁＞開時極間絶縁＞接地極間絶縁の関係に設定したことを特徴とする真空絶縁スイッチギヤ。
【請求項１０】
請求項１に記載の真空絶縁スイッチギヤにおいて、
前記真空開閉器は、負荷遮断器或いは真空断路であることを特徴とする真空絶縁スイッチギヤ。
【手続補正２】
【補正対象書類名】明細書
【補正対象項目名】０００１
【補正方法】変更
【補正の内容】
【０００１】
本発明は、真空絶縁スイッチギヤに係り、例えば、受電設備に使用するのに好適な真空絶縁スイッチギヤに関するものである。
【手続補正３】
【補正対象書類名】明細書
【補正対象項目名】０００２
【補正方法】変更
【補正の内容】
【０００２】
受電設備においては、負荷電流あるいは事故電流を遮断するための真空遮断器、負荷の保守点検を行う際に作業者の安全を確保するための断路器と接地開閉器、系統電圧・電流の検出装置、更に保護リレーなどが筐体内に収納されてなる閉鎖形配電盤（スイッチギヤと称す）を設置している。
【手続補正４】
【補正対象書類名】明細書
【補正対象項目名】０００３
【補正方法】変更
【補正の内容】
【０００３】
このスイッチギヤの絶縁方式は、多種多様で、従来からの気中絶縁盤、ＳＦ６ガスを使ったキュービクル形ＧＩＳに加えて、昨今では環境対応の観点から固体絶縁、圧縮空気絶縁、全真空絶縁などが登場していると共に、各種絶縁方式によって遮断器、断路器、接地開閉器の各コンポーネントの小形化が加速する中、単一容器内に遮断、断路、接地の機能を集積した真空バルブを、絶縁ガス容器内に収納したもの（集積型スイッチギヤ）が提案されている（例えば、特許文献１参照。）。
【手続補正５】
【補正対象書類名】明細書
【補正対象項目名】０００５
【補正方法】変更
【補正の内容】
【０００５】
上述した集積型スイッチギヤは、単一容器内に遮断、断路、接地の機能を集積した真空バルブを、絶縁ガス容器内に収納したものであるので、例えば、都市部での配電設備の小形軽量化のニーズに対応し得るものである。
【手続補正６】
【補正対象書類名】明細書
【補正対象項目名】０００９
【補正方法】変更
【補正の内容】
【０００９】
上記の目的を達成するために、第１の発明は、それぞれが可動接点と固定接点からなると共に、該可動接点と固定接点の周囲が絶縁筒で覆われ、閉、開、断路の３位置で動作する２対の開閉器を有し、該２対の開閉器部が真空容器内に配置されてなる真空開閉器と、可動接点と固定接点とからなり、該可動接点と固定接点の周囲が絶縁筒で覆われる開閉器を有し、該開閉器部が前記真空容器とは別の真空容器内に配置されてなる真空接地開閉器とを備え、前記真空開閉器と前記真空接地開閉器が一体にモールドされている
【手続補正７】
【補正対象書類名】明細書
【補正対象項目名】００１０
【補正方法】変更
【補正の内容】
【００１０】
また、第２の発明は、第１の発明において、前記真空開閉器の真空容器と前記真空接地開閉器の真空容器は、略平行に併設して配置されている。
【手続補正８】
【補正対象書類名】明細書
【補正対象項目名】００１１
【補正方法】変更
【補正の内容】
【００１１】
更に、第３の発明は、第１又は第２の発明において、前記真空開閉器と前記真空接地開閉器は、系統の電圧を検出する電圧検出器とも一体のモールドされている。
【手続補正９】
【補正対象書類名】明細書
【補正対象項目名】００１２
【補正方法】変更
【補正の内容】
【００１２】
また、第４の発明は、第１の発明において、前記真空開閉器の開閉器部は相分離構造であり、その相間には遮蔽層が配置されている。
【手続補正１０】
【補正対象書類名】明細書
【補正対象項目名】００１３
【補正方法】変更
【補正の内容】
【００１３】
更に、第５の発明は、第１の発明において、前記真空容器の開閉器部の一方の前記固定接点は第１のフィーダを介して母線に接続されていると共に、他方の固定接点は第２のフィーダを介してケーブルヘッドに接続され、かつ、前記１のフィーダ及び第２のフィーダは、前記真空開閉器及び前記真空接地開閉器と共に一体にモールドされている。
【手続補正１１】
【補正対象書類名】明細書
【補正対象項目名】００１４
【補正方法】変更
【補正の内容】
【００１４】
また、第６の発明は、第１又は第５の発明において、前記真空開閉器の開閉器部の一方の前記可動接点と他方の前記可動接点の両者は、可動導体で連結され、かつ、該可動導体には真空絶縁操作ロッドが連結されていると共に、該真空絶縁操作ロッドは、ベローズを介して前記真空容器外に導出されて気中絶縁操作ロッドに連結され、該気中絶縁操作ロッドは、操作ロッドを介して操作装置に連結されている。
【手続補正１２】
【補正対象書類名】明細書
【補正対象項目名】００１５
【補正方法】変更
【補正の内容】
【００１５】
更に、第７の発明は、第１の発明において、前記真空接地開閉器の開閉器部の前記固定接点はフィーダに接続され、一方、前記可動接点には真空絶縁操作ロッドが連結されていると共に、該真空絶縁操作ロッドは、ベローズを介して前記真空容器外に導出されて真空接地開閉器用の絶縁操作ロッドに連結され、該真空接地開閉器用の絶縁操作ロッドは、真空接地開閉器用の操作装置に連結されている。
【手続補正１３】
【補正対象書類名】明細書
【補正対象項目名】００１６
【補正方法】変更
【補正の内容】
【００１６】
また、第８の発明は、第１の発明において、前記真空開閉器の開閉器部の断路時における極間寸法を、開時における極間寸法より大きくしたものである。
【手続補正１４】
【補正対象書類名】明細書
【補正対象項目名】００１７
【補正方法】変更
【補正の内容】
【００１７】
更に、第９の発明は、第１の発明において、前記真空開閉器の開閉器部は相分離構造であり、該開閉器の相間絶縁、該開閉器の断路時の極間絶縁、該開閉器の開時の極間絶縁、及び前記真空接地開閉器の接地極間絶縁との絶縁強調を、相間＞断路時極間絶縁＞開時極間絶縁＞接地極間絶縁の関係に設定したものである。
【手続補正１５】
【補正対象書類名】明細書
【補正対象項目名】００１８
【補正方法】変更
【補正の内容】
【００１８】
また、第１０の発明は、第１の発明において、前記真空開閉器は、負荷遮断器或いは真空断路である。